(57)【要約】【課題】表示信号をＨ／Ｗ合成し、高精細表示及び重畳表示を行う。【解決手段】表示信号を入力する入力Ｉ／Ｆ１０１、１０２と、入力Ｉ／Ｆの出力を同期制御して出力する同期制御部１０３と、その出力を蓄積する１次バッファ用メモリ１０４と、ビデオ信号を入力してスキャンコンバートするＳ／Ｃ１０７と、その出力を蓄積するビデオ対応用メモリ１０８と、このメモリの読み出しを入力し輝度処理して出力するトレイル用ＬＵＴ１１２と、１次バッファ用メモリ１０４の出力とトレイル用ＬＵＴ１１２の出力をクロマキ処理するクロマキ合成機能部１０６と、その出力を蓄積する出力画像用メモリ１０９と、このメモリからＴＶ走査に同期した読み出しを行い、Ｄ／Ａ変換などを実施して高精細表示信号４、重畳表示信号５を出力する出力Ｉ／Ｆ手段１１０、１１１と、同期制御手段１０３などを制御する制御する制御ＣＰＵ１０５と、を備える。【選択図】　　　図１
2004085946.tif 000002
【特許請求の範囲】
【請求項１】
コンピュータが出力する表示信号を入力し内部処理に適した形に変換する入力Ｉ／Ｆ手段と、
前記入力Ｉ／Ｆ手段の出力を同期制御して出力する同期制御手段と、
前記同期制御手段の出力を蓄積する１次バッファ用メモリと、
前記１次バッファ用メモリの出力をクロマキ処理するクロマキ合成機能手段と、
前記クロマキ合成機能手段の出力を蓄積する出力画像用メモリと、
前記出力画像用メモリからＴＶ走査に同期した読み出しを行い、Ｄ／Ａ変換やデジタルＩ／Ｆ用トランスミッタ処理を実施して高精細表示信号を出力する出力Ｉ／Ｆ手段と、
前記出力Ｉ／Ｆ手段が出力する高精細表示信号を表示する高精細モニタと、
前記同期制御手段、前記クロマキ合成機能手段を制御する制御する制御ＣＰＵと、を備え、
前記コンピュータのマルチモニタ機能によって出力されて前記入力Ｉ／Ｆ手段へ入力された表示信号が、前記出力画像用メモリで解像度方向に合成され、前記高精細モニタの高速タイミングに合わせた高精細表示信号を前記出力Ｉ／Ｆ手段から出力して前記高精細モニタに表示することを特徴とする画面合成型表示装置。
【請求項２】
コンピュータが出力する表示信号を入力し内部処理に適した形に変換する入力Ｉ／Ｆ手段と、
前記入力Ｉ／Ｆ手段の出力を同期制御して出力する同期制御手段と、
前記同期制御手段の出力を蓄積する１次バッファ用メモリと、
前記１次バッファ用メモリの出力をクロマキ処理するクロマキ合成機能手段と、
前記クロマキ合成機能手段の出力を蓄積する出力画像用メモリと、
前記出力画像用メモリからＴＶ走査に同期した読み出しを行い、Ｄ／Ａ変換やデジタルＩ／Ｆ用トランスミッタ処理を実施して表示信号を出力する出力Ｉ／Ｆ手段と、
前記出力Ｉ／Ｆ手段が出力する高精細表示信号を表示する高精細モニタと、
前記同期制御手段、前記クロマキ合成機能手段を制御する制御する制御ＣＰＵと、を備え、
前記１次用バッファメモリの内容を前記制御ＣＰＵの指示により読み出し前記クロマキ合成手段で前記入力表示信号の解像度を足し合わせた解像度で前記出力画像用メモリへ書き込みし、
前記出力Ｉ／Ｆ手段が前記出力画像用メモリからＴＶ走査に同期して読み出しを行い、前記高精細信号を出力することを特徴とする画面合成型表示装置。
【請求項３】
コンピュータが出力する表示信号を入力し内部処理に適した形に変換する入力Ｉ／Ｆ手段と、
前記入力Ｉ／Ｆ手段の出力を同期制御して出力する同期制御手段と、
前記同期制御手段の出力を蓄積する１次バッファ用メモリと、
前記１次バッファ用メモリの出力をクロマキ処理するクロマキ合成機能手段と、
前記クロマキ合成機能手段の出力を蓄積する出力画像用メモリと、
前記出力画像用メモリからＴＶ走査に同期した読み出しを行い、Ｄ／Ａ変換やデジタルＩ／Ｆ用トランスミッタ処理を実施して表示信号を出力する出力Ｉ／Ｆ手段と、
前記出力Ｉ／Ｆ手段が出力する重畳表示信号を表示するモニタと、
前記同期制御手段、前記クロマキ合成機能手段を制御する制御する制御ＣＰＵと、を備え、
前記１次バッファ用メモリの内容が、前記制御ＣＰＵの指示により読み出され、前記クロマキ合成機能手段でクロマキ処理を実施し、前記出力画像用メモリにクロマキ重畳した書き込みを行うことによって前記出力Ｉ／Ｆ手段から重畳表示信号を出力して前記モニタに表示することを特徴とする画面合成型表示装置。
【請求項４】
コンピュータが出力する表示信号を入力し内部処理に適した形に変換する入力Ｉ／Ｆ手段と、
前記入力Ｉ／Ｆ手段の出力を同期制御して出力する同期制御手段と、
前記同期制御手段の出力を蓄積する１次バッファ用メモリと、
ビデオ信号を入力してスキャンコンバートするスキャンコンバータと、
前記スキャンコンバータの出力を蓄積するビデオ対応用メモリと、
前記ビデオ対応用メモリの読み出しを入力し輝度処理して出力するトレイル用ＬＵＴ（ルックアップテーブル）と、
前記１次バッファ用メモリの出力と前記トレイル用ＬＵＴの出力をクロマキ処理するクロマキ合成機能手段と、
前記クロマキ合成機能手段の出力を蓄積する出力画像用メモリと、
前記出力画像用メモリからＴＶ走査に同期した読み出しを行い、Ｄ／Ａ変換やデジタルＩ／Ｆ用トランスミッタ処理を実施して高精細表示信号及び／又は重畳表示信号を出力する出力Ｉ／Ｆ手段と、
前記同期制御手段、前記クロマキ合成機能手段、前記スキャンコンバータを制御する制御する制御ＣＰＵと、を備え、
前記クロマキ合成機能手段が、前記１次バッファ用メモリを読み出して前記トレイル用ＬＵＴとのクロマキ合成をして前記出力画像用メモリに書き込むことを特徴とする画面合成型表示装置。
【請求項５】
コンピュータが出力する表示信号を入力し内部処理に適した形に変換する入力Ｉ／Ｆ手段と、
前記入力Ｉ／Ｆ手段の出力を同期制御して出力する同期制御手段と、
前記同期制御手段の出力を蓄積する１次バッファ用メモリと、
ビデオ信号を入力してスキャンコンバートするスキャンコンバータと、
前記スキャンコンバータの出力を蓄積するビデオ対応用メモリと、
前記ビデオ対応用メモリの読み出しを入力し輝度処理して出力するトレイル用ＬＵＴ（ルックアップテーブル）と、
前記１次バッファ用メモリの出力と前記トレイル用ＬＵＴの出力をクロマキ処理するクロマキ合成機能手段と、
前記クロマキ合成機能手段の出力を蓄積する出力画像用メモリと、
前記出力画像用メモリからＴＶ走査に同期した読み出しを行い、Ｄ／Ａ変換やデジタルＩ／Ｆ用トランスミッタ処理を実施して高精細表示信号及び／又は重畳表示信号を出力する出力Ｉ／Ｆ手段と、
前記同期制御手段、前記クロマキ合成機能手段、前記スキャンコンバータを制御する制御する制御ＣＰＵと、
を備えることを特徴とする画面合成型表示装置。
【請求項６】
前記入力Ｉ／Ｆ手段に入力する表示信号が、前記コンピュータのマルチモニタ機能により出力された表示信号、複数の前記コンピュータから個別に出力される表示信号、レーダービデオを含むビデオ信号であり、
前記ビデオ信号が、レーダービデオを含むビデオ信号であることを特徴とする請求項６に記載の画面合成型表示装置。
【請求項７】
前記出力画像用メモリが、フレームメモリであることを特徴とする請求項１から５のいずれかに記載の画面合成型表示装置。
【発明の詳細な説明】
【０００１】
【発明の属する技術分野】
本発明は表示装置に関し、特に複数出力画面の高解像度を得るための解像度的合成や、レーダービデオ画像等の重畳的合成の機能改良に関する。
【０００２】
【従来の技術】
従来の高精細（解像）度表示装置では、一般的にその解像度に対応させるために、例えば、特開平０８−３２８５４０号公報に開示されているように、内部で複数画素並列処理を実施していた。そのため、Ｈ／Ｗ構成、ドライバソフトウェア等が複雑な専用設計品となっている。
【０００３】
また、マルチスクリーン（複数画面）に対応し、画面を１つに合成する技術は、例えば、特開平０３−０８４５８６号公報や特開２０００−３３０５０２号公報に開示されているように、多く提案されている。これらは、表示デバイスとして一般的な解像度の別々の複数モニタまたはスクリーンに表示信号を出力することが前提であり、表示デバイス同士を物理的に近接して設置することにより、見た目上、近似的に１つの画像を合成している。
【０００４】
加えて、上記のような合成技術においても、例えば、特開２００１−１２８０８９号公報に開示されているように、表示信号切替えによるスーパーインポーズのような画面の挿入のみ行い、アナログビデオ等との画像の合成（以下、重畳表示）を実施しているものはない。
【０００５】
【発明が解決しようとする課題】
前述の通り、従来の高精細（解像）度表示装置は、専用設計品となり、非常に高価な装置となるという問題がある。しかし、近年、全般的なＨ／Ｗの低価格化により、専用設計品と言えども価格低減することが要求されている。
【０００６】
また、マルチスクリーン（複数画面）に対応し、画面を１つに合成する技術は表示デバイスとして別々の複数モニタまたはスクリーンに表示信号を出力することが前提である。従って、ひとつの高精細度モニタにはそのままでは適用できないという問題がある。
【０００７】
加えて、上記のような合成技術では、表示信号切替えによる画面の挿入のみ行い、アナログビデオ等との画像の合成（以下、重畳表示）を実施しているものはない。
【０００８】
しかし、例えば、航空管制用途等のレーダービデオについては画面の挿入ではなく重畳表示が必要である。
【０００９】
本発明の主な目的はグラフィックアダプタとＯＳの技術革新により標準サポートされはじめたマルチモニタ機能を利用し、それらをフレームメモリ等によりＨ／Ｗ合成し、高精細度モニタに表示すること及び重畳表示を行うことを特徴とした画面合成型表示装置を提供することにある。
【００１０】
【課題を解決するための手段】
本発明の画面合成型表示装置は、コンピュータが出力する表示信号を入力し内部処理に適した形に変換する入力Ｉ／Ｆ手段と、前記入力Ｉ／Ｆ手段の出力を同期制御して出力する同期制御手段と、前記同期制御手段の出力を蓄積する１次バッファ用メモリと、前記１次バッファ用メモリの出力をクロマキ処理するクロマキ合成機能手段と、前記クロマキ合成機能手段の出力を蓄積する出力画像用メモリと、前記出力画像用メモリからＴＶ走査に同期した読み出しを行い、Ｄ／Ａ変換やデジタルＩ／Ｆ用トランスミッタ処理を実施して高精細表示信号を出力する出力Ｉ／Ｆ手段と、前記出力Ｉ／Ｆ手段が出力する高精細表示信号を表示する高精細モニタと、前記同期制御手段、前記クロマキ合成機能手段を制御する制御する制御ＣＰＵと、を備え、前記コンピュータのマルチモニタ機能によって出力されて前記入力Ｉ／Ｆ手段へ入力された表示信号が、前記出力画像用メモリで解像度方向に合成され、前記高精細モニタの高速タイミングに合わせた高精細表示信号を前記出力Ｉ／Ｆ手段から出力して前記高精細モニタに表示することを特徴とする。
【００１１】
本発明の画面合成型表示装置は、コンピュータが出力する表示信号を入力し内部処理に適した形に変換する入力Ｉ／Ｆ手段と、前記入力Ｉ／Ｆ手段の出力を同期制御して出力する同期制御手段と、前記同期制御手段の出力を蓄積する１次バッファ用メモリと、前記１次バッファ用メモリの出力をクロマキ処理するクロマキ合成機能手段と、前記クロマキ合成機能手段の出力を蓄積する出力画像用メモリと、前記出力画像用メモリからＴＶ走査に同期した読み出しを行い、Ｄ／Ａ変換やデジタルＩ／Ｆ用トランスミッタ処理を実施して表示信号を出力する出力Ｉ／Ｆ手段と、前記出力Ｉ／Ｆ手段が出力する高精細表示信号を表示する高精細モニタと、前記同期制御手段、前記クロマキ合成機能手段を制御する制御する制御ＣＰＵと、を備え、前記１次用バッファメモリの内容を前記制御ＣＰＵの指示により読み出し前記クロマキ合成手段で前記入力表示信号の解像度を足し合わせた解像度で前記出力画像用メモリへ書き込みし、前記出力Ｉ／Ｆ手段が前記出力画像用メモリからＴＶ走査に同期して読み出しを行い、前記高精細信号を出力することを特徴とする。
【００１２】
本発明の画面合成型表示装置は、コンピュータが出力する表示信号を入力し内部処理に適した形に変換する入力Ｉ／Ｆ手段と、前記入力Ｉ／Ｆ手段の出力を同期制御して出力する同期制御手段と、前記同期制御手段の出力を蓄積する１次バッファ用メモリと、前記１次バッファ用メモリの出力をクロマキ処理するクロマキ合成機能手段と、前記クロマキ合成機能手段の出力を蓄積する出力画像用メモリと、前記出力画像用メモリからＴＶ走査に同期した読み出しを行い、Ｄ／Ａ変換やデジタルＩ／Ｆ用トランスミッタ処理を実施して表示信号を出力する出力Ｉ／Ｆ手段と、前記出力Ｉ／Ｆ手段が出力する重畳表示信号を表示するモニタと、前記同期制御手段、前記クロマキ合成機能手段を制御する制御する制御ＣＰＵと、を備え、前記１次バッファ用メモリの内容が、前記制御ＣＰＵの指示により読み出され、前記クロマキ合成機能手段でクロマキ処理を実施し、前記出力画像用メモリにクロマキ重畳した書き込みを行うことによって前記出力Ｉ／Ｆ手段から重畳表示信号を出力して前記モニタに表示することを特徴とする。
【００１３】
本発明の画面合成型表示装置は、コンピュータが出力する表示信号を入力し内部処理に適した形に変換する入力Ｉ／Ｆ手段と、前記入力Ｉ／Ｆ手段の出力を同期制御して出力する同期制御手段と、前記同期制御手段の出力を蓄積する１次バッファ用メモリと、ビデオ信号を入力してスキャンコンバートするスキャンコンバータと、前記スキャンコンバータの出力を蓄積するビデオ対応用メモリと、前記ビデオ対応用メモリの読み出しを入力し輝度処理して出力するトレイル用ＬＵＴ（ルックアップテーブル）と、前記１次バッファ用メモリの出力と前記トレイル用ＬＵＴの出力をクロマキ処理するクロマキ合成機能手段と、前記クロマキ合成機能手段の出力を蓄積する出力画像用メモリと、前記出力画像用メモリからＴＶ走査に同期した読み出しを行い、Ｄ／Ａ変換やデジタルＩ／Ｆ用トランスミッタ処理を実施して高精細表示信号及び／又は重畳表示信号を出力する出力Ｉ／Ｆ手段と、前記同期制御手段、前記クロマキ合成機能手段、前記スキャンコンバータを制御する制御する制御ＣＰＵと、を備え、前記クロマキ合成機能手段が、前記１次バッファ用メモリを読み出して前記トレイル用ＬＵＴとのクロマキ合成をして前記出力画像用メモリに書き込むことを特徴とする。
【００１４】
本発明の画面合成型表示装置は、コンピュータが出力する表示信号を入力し内部処理に適した形に変換する入力Ｉ／Ｆ手段と、前記入力Ｉ／Ｆ手段の出力を同期制御して出力する同期制御手段と、前記同期制御手段の出力を蓄積する１次バッファ用メモリと、ビデオ信号を入力してスキャンコンバートするスキャンコンバータと、前記スキャンコンバータの出力を蓄積するビデオ対応用メモリと、前記ビデオ対応用メモリの読み出しを入力し輝度処理して出力するトレイル用ＬＵＴ（ルックアップテーブル）と、前記１次バッファ用メモリの出力と前記トレイル用ＬＵＴの出力をクロマキ処理するクロマキ合成機能手段と、前記クロマキ合成機能手段の出力を蓄積する出力画像用メモリと、前記出力画像用メモリからＴＶ走査に同期した読み出しを行い、Ｄ／Ａ変換やデジタルＩ／Ｆ用トランスミッタ処理を実施して高精細表示信号及び／又は重畳表示信号を出力する出力Ｉ／Ｆ手段と、前記同期制御手段、前記クロマキ合成機能手段、前記スキャンコンバータを制御する制御する制御ＣＰＵと、を備えることを特徴とする。
【００１５】
本発明の画面合成型表示装置は、前記入力Ｉ／Ｆ手段に入力する表示信号が、前記コンピュータのマルチモニタ機能により出力された表示信号、複数の前記コンピュータから個別に出力される表示信号、レーダービデオを含むビデオ信号であり、前記ビデオ信号が、レーダービデオを含むビデオ信号であることを特徴とする。
【００１６】
本発明の画面合成型表示装置は、前記出力画像用メモリが、フレームメモリであることを特徴とする。
【００１７】
【発明の実施の形態】
本発明の上記および他の目的、特徴および利点を明確にすべく、以下添付した図面を参照しながら、本発明の実施の形態につき詳細に説明する。
【００１８】
図１は、画面合成機能部１００のブロック図である。図１を参照すると、図２、図３の画面合成機能部１００は、コンピュータが出力する表示信号１、２を入力し内部処理に適した形に変換（Ａ／Ｄ変換等）する入力Ｉ／Ｆ（インターフェース）１０１及び１０２、入力Ｉ／Ｆ１０１及び１０２の出力を同期制御して出力する同期制御部１０３、同期制御部１０３の出力を蓄積する１次バッファ用メモリ１０４、他ビデオ信号３をスキャンコンバートするＳ／Ｃ（スキャンコンバータ）１０７、Ｓ／Ｃ１０７の出力を蓄積するビデオ対応用メモリ１０８、ビデオ対応用メモリ１０８の読み出しを入力し輝度処理して出力するトレイル用ＬＵＴ（ルックアップテーブル）１１２、１次バッファ用メモリ１０４の出力とトレイル用ＬＵＴ１１２の出力をクロマキ処理するクロマキ合成機能部１０６、クロマキ合成機能部１０６の出力を蓄積するフレームメモリとして構成される出力画像用メモリ１０９、出力画像用メモリ１０９からＴＶ走査に同期した読み出しを行い、Ｄ／Ａ変換やデジタルＩ／Ｆ用トランスミッタ処理等を実施して表示信号を出力する出力Ｉ／Ｆ（インターフェース）１１０及び１１１、同期制御部１０３、クロマキ合成機能部１０６、Ｓ／Ｃ１０７を制御する制御ＣＰＵ１０５、を含んで構成される。
【００１９】
他ビデオ信号３が、不要であればＳ／Ｃ１０７、ビデオ対応用メモリ１０８、トレイル用ＬＵＴ（ルックアップテーブル）１１２は備えなくてもよい。
【００２０】
表示信号１、２は、ＰＣ（パーソナルコンピュータ）等のマルチモニタ機能により出力された表示信号（例えば、図２に示す表示信号１、２）または、別々のＰＣから出力された表示信号（例えば、図３に示す表示信号１、２）とし、表示信号１と表示信号２は、別系統である。
【００２１】
高解像度対応を実施する場合、表示信号１、２はそれぞれ入力Ｉ／Ｆ１０１、１０２にて受信され、同期制御部１０３を介して１次バッファ用メモリ１０４へ蓄積される。１次バッファ用メモリ１０４の読み出しはクロマキ合成機能部１０６を介して、出力画像用メモリ１０９に書き込まれる。なお、出力画像用メモリ１０９は通常フレームメモリとして構成される。出力画像用メモリ１０９の読み出しは、高精細モニタ２０４のＴＶ走査に同期したタイミングで行われ、出力Ｉ／Ｆ１１０を介して高精細表示信号４として出力される。
【００２２】
また、重畳表示を行う場合、レーダービデオ等の他ビデオ信号３は必要に応じＳ／Ｃ（スキャンコンバータ）１０７によりスキャンコンバートされ、ビデオ対応用メモリ１０８に蓄積される。ビデオ対応用メモリ１０８の読み出しは、トレイル用ＬＵＴ（ルックアップテーブル）１１２を介してクロマキ合成機能部１０６に出力される。ここで、１次バッファ用メモリ１０４の読み出しとクロマキ合成され、出力画像用メモリ１０９に書き込まれる。出力画像用メモリ１０９の読み出しは一般的なモニタのＴＶ走査に同期したタイミングで行われ、出力Ｉ／Ｆ１１１を介して重畳表示信号５として出力される。
【００２３】
なお、用途によって、１次バッファ用メモリ１０４とビデオ対応用メモリ１０８を共通的に使用したり、表示信号２を他ビデオ信号３にとして使用できることは自明である。
【００２４】
図１のＰＣ等のマルチモニタ機能は、一台のコンピュータに複数のディスプレイを取り付け、それらを全て同一のデスクトップ領域の中で使用可能にする機能等であるが、当業者にとってよく知られており、また本発明とは直接関係しないので、その詳細な説明は省略する。
【００２５】
以下、本実施の形態の動作につき説明する。高解像度対応を行う場合は、１画面としてカーソル制御等を行うために、マルチモニタ機能により出力された表示信号（例えば、図２に示す表示信号１、２）を利用する。
【００２６】
重畳表示を行う場合は、ＰＣ等のマルチモニタ機能により出力された表示信号（例えば、図２に示す表示信号１、２）または、別々のＰＣから出力された表示信号（例えば、図３に示す表示信号１、２）を利用する。
【００２７】
入力Ｉ／Ｆ１０１、１０２は、表示信号１、２を受け、内部処理に適した形に変換（Ａ／Ｄ変換等）を行う。入力Ｉ／Ｆ１０１、１０２の出力は、制御ＣＰＵ１０５の制御を受けた同期制御部１０３により同期制御を実施された上で、１次バッファ用メモリ１０４に書き込まれる。
【００２８】
最初に、高解像度対応を実施する場合について説明する。１次バッファ用メモリ１０４の内容は、制御ＣＰＵ１０５の指示により、読み出され、クロマキ合成機能部１０６は解像度足し合わせ（マージ）処理のみを実施し、出力画像用メモリ１０９に書き込みを行う。この場合、表示信号１、２の持つ解像度を足し合わせた解像度で書き込みを行う。例えば、表示信号１、２が、１０２４×１２８０画素の解像度を持つ場合、出力画像用メモリ１０９には計２０４８×１２８０の解像度の画面情報が書き込まれる。出力Ｉ／Ｆ１１０は、高精細表示信号４に適した高速の読み出し速度で出力画像用メモリ１０９からＴＶ走査に同期して読み出しを行い、Ｄ／Ａ変換やデジタルＩ／Ｆ用トランスミッタ処理等を実施し、高精細表示信号４を出力する。
【００２９】
次に、表示信号１、２を重畳表示する場合について説明する。１次バッファ用メモリ１０４の内容は、制御ＣＰＵ１０５の指示により読み出され、クロマキ合成機能部１０６は、クロマキ処理を実施し、出力画像用メモリ１０９に書き込みを行う。この場合、表示信号１、２をクロマキ重畳した書き込みを行い、解像度は変更しない。本機能は例えば、表示オブジェクトが多数有り、更新頻度が高い等の理由により、表示負荷が重いために別々のＰＣ等で並列処理を実施する場合に有効である。出力Ｉ／Ｆ１１１は、重畳表示信号５に適した通常の速度で出力画像用メモリ１０９からのＴＶ走査に同期した読み出しを行い、Ｄ／Ａ変換やデジタルＩ／Ｆ用トランスミッタ処理等を実施し、重畳表示信号５を出力する。
【００３０】
次に、他のビデオ信号（他ビデオ信号）を合成する場合について説明する。その基本的構成は上記の通りであるが、図１の波線部分では他ビデオ信号３の合成についてさらに工夫している。例えば、他ビデオ信号３として、レーダ等のビデオ画像を表示する場合には、図１の波線部分のＳ／Ｃ１０７、ビデオ対応用メモリ１０８及びトレイル用ＬＵＴ１１２を追加する（簡易な拡張）。レーダービデオ等の他ビデオ信号３は、必要に応じＳ／Ｃ１０７によりスキャンコンバートされ、ビデオ対応用メモリ１０８に蓄積される。トレイル用ＬＵＴ１１２は、高速にビデオ画像の輝度を変更させるために用いる。トレイル用ＬＵＴ１１２はビデオ対応用メモリ１０８の読み出しを入力され、前述の輝度処理を行った後、その出力をクロマキ合成機能部１０６に出力する。クロマキ合成機能部１０６は、１次バッファ用メモリ１０４の読み出してトレイル用ＬＵＴ１１２とのクロマキ合成を行い、結果を出力画像用メモリ１０９に書き込む。以降の動作は第１の形態と同様であるため省略する。このように、本形態では、さらに、他のビデオ信号の合成を容易な追加により実現できるという効果が得られる。
【００３１】
図２は、図１に示す画面合成機能部１００を使用した画面合成型表示装置の第１の実施例である。
【００３２】
本発明による画面合成型表示装置は、例えば、図２に示すようにＰＣ２０１等で実現されているマルチモニタ機能の後段に画面合成機能部１００を設けたことを特徴としている。この画面合成機能部１００には、マルチモニタ機能によりあたかもモニタ２０２とモニタ２０３が、一つのデスクトップ画面のように扱われている別々の表示信号１、２が入力される。
【００３３】
画面合成機能部１００は、出力画像用メモリ１０９においてフレームメモリ等を有し、表示信号１、２をフレームメモリ等上で解像度方向に合成（マージ）を行い、高精細モニタ２０４の高速なタイミングに合わせた高精細表示信号４を出力するという動作を実行する。
【００３４】
従って、安価なＰＣ２０１等を用いて簡単に高精細（解像）度表示装置を構築できるという効果が得られる。なお、本構成による画面合成型表示装置は、ＰＣ側がマルチモニタ機能さえ有していれば、ＯＳの種類やドライバ等に左右されないという効果も得られる。
【００３５】
ＰＣ２０１等からのマルチモニタ用の表示信号１、２は、画面合成機能部１００に供給され、合成処理される。その出力は、高精細表示信号４として高精細モニタ２０４に出力される。高精細モニタ２０４ではモニタ２０２とモニタ２０３の解像度を足し合わせた解像度での表示が実現される。
【００３６】
図３は、図１に示す画面合成機能部１００を使用した画面合成型表示装置の第２の実施例である。上段は、ＰＣ３０１、３０２からの表示信号１、２がそれぞれモニタ３０３及びモニタ３０４に表示される構成である。下段は、画面合成機能部１００を用いることによって重畳表示信号５が出力されてモニタ３０３に表示される構成である。画面合成機能部１００は、同期制御部１０３を有するため、図３に示すように別々のＰＣ３０１、３０２等の表示信号１、２を入力することが可能であり、別々のグラフィックアダプタからの表示信号でも対応可能である。また、画面合成機能部１００は、クロマキ合成機能部１０６とトレイル用ＬＵＴ１１２を有している。これらにより、別々のＰＣ３０１、３０２等により並列処理された画像の重畳表示、表示信号２をレーダー等の他ビデオ信号とした場合の重畳表示、トレイル用ＬＵＴ１１２を利用した高速ビデオトレイル表示を可能とする。
【００３７】
なお、本発明が上記各実施例に限定されず、本発明の技術思想の範囲内において、各実施例は適宜変更され得ることは明らかである。
【００３８】
【発明の効果】
以上説明したように、本発明によれば、ＰＣ等の複数出力画像を画面合成機能により合成するという基本構成に基づき、マルチモニタ機能を利用し、それらをフレームメモリ等によりＨ／Ｗ合成し、高精細度モニタに表示することにより、簡単な構成で、安価に高精細表示装置を実現できるという効果がある。
【００３９】
また、本発明の画面合成機能は、ＯＳの種類に左右されず、並列処理された表示画面をクロマキ重畳することもできるという効果がある。
【００４０】
さらに、本発明の画面合成機能は、同期制御により別々のグラフィックアダプタからの表示信号にも対応可能であるという効果がある。
【００４１】
さらに、簡易な拡張により他種ビデオ画像合成もでき、トレイル用ＬＵＴ（ルックアップテーブルユニット）をもちビデオトレイル表示等を高速に実現することも可能であるという効果がある。
【図面の簡単な説明】
【図１】画面合成機能部のブロック図である。
【図２】画面合成機能部を使用した画面合成型表示装置の第１の実施例である。
【図３】画面合成機能部を使用した画面合成型表示装置の第２の実施例である。
【符号の説明】
１、２　　表示信号
３　　他ビデオ信号
４　　高精細表示信号
５　　重畳表示信号
１００　　画面合成機能部
１０１、１０２　　入力Ｉ／Ｆ
１０３　　同期制御部
１０４　　１次バッファ用メモリ
１０５　　制御ＣＰＵ
１０６　　クロマキ合成機能部
１０７　　Ｓ／Ｃ（スキャンコンバータ）
１０８　　ビデオ対応用メモリ
１０９　　出力画像用メモリ
１１０、１１１　　出力Ｉ／Ｆ
１１２　　トレイル用ＬＵＴ（ルックアップテーブル）
２０１　　ＰＣ
２０２、２０３　　モニタ
２０４　　高精細モニタ
３０１、３０２　　ＰＣ
３０３、３０４　　モニタ
【図１】
2004085946.tif 000003
【図２】
2004085946.tif 000004
【図３】
2004085946.tif 000005